(57)【要約】【課題】  ハードディスクドライブとディスクトレイの各ディスクを回転させるためのモータと回転シャフトを共有化でき、コストダウンを図ることができる記録媒体駆動装置を提供する。【解決手段】  筐体１１内に配置されたハードディスクドライブ１の上方にディスクトレイ２を配置し、ハードディスクドライブ１を上昇させることにより、上側のディスクトレイ２に向けて延長されたハードディスクドライブ１の回転シャフト４の上端に設けたターンテーブル５でディスクトレイ２のディスク８をチャッキングし、ディスクトレイ２のディスク８を回転させ、ハードディスクドライブ１の側壁に突出されたリブ６が、水平向きのガイド板７に設けられ上側から下側に向けて形成されたガイド溝７ａ内に挿入されガイド板７の水平向きの移動によりリブ６を介してハードディスクドライブ１を上向きに移動し、回転シャフト４を上側に移動しターンテーブル５でディスク８をチャッキングする。【選択図】  図２
2006134455.tif 000002
【特許請求の範囲】
【請求項１】
筐体内に配置されたハードディスクドライブの上方にディスクトレイを配置し、このハードディスクドライブを上昇させることにより、前記上側のディスクトレイに向けて延長されたハードディスクドライブの回転シャフトの上端に設けたターンテーブルでディスクトレイのディスクをチャッキングして、前記ディスクトレイのディスクを回転させるようにした記録媒体駆動装置であって、前記ハードディスクドライブの側壁に突出されたリブが、水平向きのガイド板に設けられ上側から下側に向けて形成されたガイド溝内に挿入されており、このガイド板の水平向きの移動により前記リブを介して前記ハードディスクドライブを上下移動するように構成され、前記ガイド板は略Ｌ字形に形成され、その水平板部の下面に設けられた移動用溝に、前記筐体の底面から立設された移動支持用基台の上端のＴ字状突出部が嵌め入れられ、前記略Ｌ字形のガイド板の水平板部の端部にはラックが形成され、このラックは、前記筐体の底面上に配置されたモータの回転軸に設けられたピニオンギヤに噛み合っていて前記ピニオンギヤの回転で前記ラックを有するガイド板が水平向きに移動され、このガイド板の水平向きの移動によって、このガイド板のガイド溝内に挿入されたリブを介して前記ハードディスクドライブが上下移動され、上側に移動したときに、前記回転シャフトの上端のターンテーブルで前記ディスクトレイのディスクをチャッキングして、この回転シャフトの回転で前記ディスクを回転させるように構成したことを特徴とする記録媒体駆動装置。
【請求項２】
筐体内に配置されたハードディスクドライブの上方にディスクトレイを配置し、このハードディスクドライブを上昇させることにより、前記上側のディスクトレイに向けて延長されたハードディスクドライブの回転シャフトの上端に設けたターンテーブルでディスクトレイのディスクをチャッキングして、前記ディスクトレイのディスクを回転させるようにした記録媒体駆動装置であって、前記ハードディスクドライブには、上下移動手段が設けられており、この上下移動手段により前記ハードディスクドライブが上昇されたときに、前記回転シャフトの上端のターンテーブルで前記ディスクトレイのディスクをチャッキングして回転シャフトの回転で前記ディスクを回転させるように構成したことを特徴とする記録媒体駆動装置。
【請求項３】
前記上下移動手段は、前記ハードデスクドライブの下面から下向きに突出され雌ねじ部を有するロッドと、前記筐体上に配置されたモータと、このモータの回転軸の上部に設けられた雄ねじ部とで構成され、前記回転軸の雄ねじ部が前記下向きのロッドの雌ねじ部に螺合されていて、前記モータの回転で前記雄ねじ部と前記雌ねじ部を介して前記ハードディスクドライブが上下移動され、ハードディスクドライブの上昇により、このハードディスクドライブの回転シャフトの上端のターンテーブルで前記ディスクトレイのディスクをチャッキングして前記回転シャフトの回転で前記ディスクを回転させるように構成した請求項２に記載の記録媒体駆動装置。
【請求項４】
前記ハードディスクドライブの下面と前記筐体の底面間に複数のスプリングが配設され、前記ハードディスクドライブをこれらのスプリングで支えるとともに、前記ハードディスクドライブを上向きに付勢している請求項３に記載の記録媒体駆動装置。
【発明の詳細な説明】
【技術分野】
【０００１】
本発明は、筐体内に配置されたハードディスクドライブの上方にディスクトレイを配置し、このハードディスクドライブを上昇させることにより、前記上側のディスクトレイに向けて延長されたハードディスクドライブの回転シャフトの上端に設けたターンテーブルでディスクトレイのディスクをチャッキングして、前記ディスクトレイのディスクを回転させるようにした記録媒体駆動装置に関するものである。
【背景技術】
【０００２】
従来は、ハードディスクドライブのディスクとディスクトレイのディスクは別々のモータで回転されており、一つのモータでこれらのディスクを回転させる機構のものは、殆ど存在してなかった。
【０００３】
第１の従来技術を図６に示す。この従来の情報記録再生装置は、図６に示すように、情報を記録再生する情報記録再生装置において、磁気情報記録再生部１０１と光情報記録再生部２０１を設け、磁気情報記録再生部１０１と光情報記録再生部２０１での磁気ディスク１０５または光ディスク２０９を回転させるためのスピンドルモータ１１１を共有させたものである。（例えば、特許文献１参照）。
【０００４】
ところが、これは、ディスクをチャッキングするためのチヤッキング機構を用いたものではなかった。
【特許文献１】特開平７−１８２８３０号公報
【発明の開示】
【発明が解決しようとする課題】
【０００５】
本発明は、上記従来の実情に鑑みてなされたものであって、ハードディスクドライブとディスクトレイの各ディスクを回転させるためのモータと回転シャフトを共有化することができ、コストダウンを図ることができる記録媒体駆動装置を提供することを目的としている。
【課題を解決するための手段】
【０００６】
本発明は、上記課題を解決するために提案されたものであって、請求項１に記載の発明は、筐体内に配置されたハードディスクドライブの上方にディスクトレイを配置し、このハードディスクドライブを上昇させることにより、前記上側のディスクトレイに向けて延長されたハードディスクドライブの回転シャフトの上端に設けたターンテーブルでディスクトレイのディスクをチャッキングして、前記ディスクトレイのディスクを回転させるようにした記録媒体駆動装置であって、前記ハードディスクドライブの側壁に突出されたリブが、水平向きのガイド板に設けられ上側から下側に向けて形成されたガイド溝内に挿入されており、このガイド板の水平向きの移動により前記リブを介して前記ハードディスクドライブを上下移動するように構成され、前記ガイド板は略Ｌ字形に形成され、その水平板部の下面に設けられた移動用溝に、前記筐体の底面から立設された移動支持用基台の上端のＴ字状突出部が嵌め入れられ、前記略Ｌ字形のガイド板の水平板部の端部にはラックが形成され、このラックは、前記筐体の底面上に配置されたモータの回転軸に設けられたピニオンギヤに噛み合っていて前記ピニオンギヤの回転で前記ラックを有するガイド板が水平向きに移動され、このガイド板の水平向きの移動によって、このガイド板のガイド溝内に挿入されたリブを介して前記ハードディスクドライブが上下移動され、上側に移動したときに、前記回転シャフトの上端のターンテーブルで前記ディスクトレイのディスクをチャッキングして、この回転シャフトの回転で前記ディスクを回転させるように構成したことを特徴としている。
【０００７】
請求項２に記載の発明は、筐体内に配置されたハードディスクドライブの上方にディスクトレイを配置し、このハードディスクドライブを上昇させることにより、前記上側のディスクトレイに向けて延長されたハードディスクドライブの回転シャフトの上端に設けたターンテーブルでディスクトレイのディスクをチャッキングして、前記ディスクトレイのディスクを回転させるようにした記録媒体駆動装置であって、前記ハードディスクドライブには、上下移動手段が設けられており、この上下移動手段により前記ハードディスクドライブが上昇されたときに、前記回転シャフトの上端のターンテーブルで前記ディスクトレイのディスクをチャッキングして回転シャフトの回転で前記ディスクを回転させるように構成したことを特徴としている。
【０００８】
請求項３に記載の発明は、前記上下移動手段は、前記ハードデスクドライブの下面から下向きに突出され雌ねじ部を有するロッドと、前記筐体上に配置されたモータと、このモータの回転軸の上部に設けられた雄ねじ部とで構成され、前記回転軸の雄ねじ部が前記下向きのロッドの雌ねじ部に螺合されていて、前記モータの回転で前記雄ねじ部と前記雌ねじ部を介して前記ハードディスクドライブが上下移動され、ハードディスクドライブの上昇により、このハードディスクドライブの回転シャフトの上端のターンテーブルで前記ディスクトレイのディスクをチャッキングして前記回転シャフトの回転で前記ディスクを回転させるように構成している。
【０００９】
請求項４に記載の発明は、前記ハードディスクドライブの下面と前記筐体の底面間に複数のスプリングが配設され、前記ハードディスクドライブをこれらのスプリングで支えるとともに、前記ハードディスクドライブを上向きに付勢している。
【発明の効果】
【００１０】
請求項１に記載の発明によれば、略Ｌ字形のガイド板が水平向きに移動し、このガイド板に設けられたガイド溝に挿入されたハードディスクドライブのリブがガイド溝に沿って下側から上側に移動することによって、ハードディスクドライブが上昇して、このハードディスクドライブの回転シャフトの上端のターンテーブルでディスクトレイのディスクをチャッキングして回転シャフトの回転でこのディスクが回転される。従って、ハードディスクドライブとディスクトレイの各ディスクを回転させるためのモータと回転シャフトを共有化することができ、コストダウンを図ることができる。
【００１１】
請求項２に記載の発明によれば、ハードディスクドライブが上下移動手段で上昇されることによって、このハードディスクドライブの回転シャフトの上端のターンテーブルでディスクトレイのディスクをチャッキングして回転シャフトの回転でこのディスクが回転される。従って、ハードディスクドライブとディスクトレイの各ディスクを回転させるためのモータと回転シャフトを共有化することができ、コストダウンを図ることができる。
【００１２】
請求項３に記載の発明によれば、上下移動手段が、ハードディスクドライブの下向きロッドの雌ねじ部とモータの回転軸の雄ねじ部の螺合によって構成され、回転軸の回転で雌ねじ部と雄ねじ部の螺退でハードディスクドライブが上昇する。これによって、このハードディスクドライブの回転シャフトの上端のターンテーブルでディスクトレイのディスクをチャッキングして回転シャフトの回転でこのディスクが回転されるので、構造が簡単で且つハードディスクドライブを正確に上下移動することができる。
【００１３】
請求項４に記載の発明によれば、ハードディスクドライブの複数のスプリングで支えているので、ハードディスクドライブを水平向きのまま安定して上下移動することができる。また、複数のスプリングでハードディスクドライブを上向きに付勢しているので、ハードディスクドライブをスムーズに上昇させることができる。
【発明を実施するための最良の形態】
【００１４】
以下、本発明に係る記録媒体駆動装置の実施の形態について、図を参照しつつ説明する。
【００１５】
図１は本発明の記録媒体駆動装置の第１実施形態を示し、ハードディスクドライブが下方の位置にある状態の概略縦断面図、図２は同装置におけるハードディスクドライブが上昇して回転シャフトの上端のターンテーブルでディスクトレイのディスクをチャッキングした状態の概略縦断面図、図３は同装置の上下移動手段を示し、（ａ）はその要部の正面図、（ｂ）はその上下移動手段の構造を示す部分側面図、図４は同装置の斜視図である。
【００１６】
この第１実施形態の記録媒体駆動装置は、図１、図２に示すように、筐体内の下側にハードディスクドライブ１が配置され、上側にディスクトレイ２が配置されている。ハードディスクドライブ１の下側には、モータ３が配置され、このモータ３の回転シャフト４が上向きに延長されていて、この回転シャフト４の上端にターンテーブル５が設けられている。ハードディスクドライブ１の左側は図４に示すように枢着されていて、右側の側壁からリブ６が突出され、このリブ６が水平向きのガイド板７に設けられた上側から下側に向くガイド溝７ａに挿入されている。また、ディスクトレイ２の底壁にはターンテーブル５が通過可能な開口２ａが形成されている。
【００１７】
図１の状態から図２に示すように、水平向きのガイド板７が水平移動すると、リブ６がガイド溝７ａに沿って上側に移動し、回転シャフト４も上向きに移動して、この回転シャフト４の上端のターンテーブル５でディスクトレイ２のディスク８がチャッキングされる。この回転シャフト４の回転でディスク８も回転される。
【００１８】
また、ハードディスクドライブ１内には、記録ディスク９が配設され、この記録ディスク９が回転シャフト４の回転で回転されると、磁気ヘッド１０で記録ディスク９が読み取り走査されるようになっている。
【００１９】
図３、図４に示すように、ガイド板７は略Ｌ字形に形成され、その水平板部の下面に設けられた移動用溝７ｂに、筐体１１の底面から立設された移動支持用基台１２の上端のＴ字状突出部１２ａが嵌め入れられている。略Ｌ字形のガイド板７の水平板部７ｃの端部にはラック７ｄが形成され、このラック７ｄは、筐体１１の底面上に配置された基台１３上のモータ１４の回転軸１４ａに設けられたピニオンギヤ１５に噛み合っていてピニオンギヤ１５の回転でラック７ｄを有するガイド板７が水平向きに移動される。このガイド板７の水平向きの移動によって、このガイド板７のガイド溝７ａ内に挿入されたリブ６を介してハードディスクドライブ１が上下移動され、上側に移動したときに、回転シャフト４の上端のターンテーブル５でディスクトレイ２のディスク８をチャッキングして、この回転シャフト４の回転でディスク８を回転する。尚、図４に示すように、ハードディスクドライブ１の左側は、筐体１１から立設された支持板２０の上端に枢着されていて、この枢着点を軸にして右側が上下移動されるように構成されている。また、図示しないが、図４にて後側の壁部には、ディスクトレイ２のディスク８が出し入れされる開口部が形成されている。
【００２０】
従って、この第１実施形態によれば、ハードディスクドライブ１とディスクトレイ２の各ディスク８、９を回転させるためのモータ３と回転シャフト４を共有化することができ、コストダウンを図ることができる。
【００２１】
図５は第２実施形態の記録媒体駆動装置を示す斜視図である。
【００２２】
この第２実施形態の記録媒体駆動装置は、図５に示すように、ハードディスクドライブ１には上下移動手段１６が設けられ、この上下移動手段１６は、ハードデスクドライブ１の下面から下向きに突出され雌ねじ部（図示略）を有するロッド１７と、筐体１１上に配置されたモータ１８と、このモータ１８の回転軸１８ａの上部に設けられた雄ねじ部１８ｂとで構成されている。回転軸１８ａの雄ねじ部１８ｂが下向きのロッド１７の雌ねじ部に螺合されていて、モータ１８の回転で雄ねじ部１８ｂと雌ねじ部を介してハードディスクドライブ１が上下移動される。ハードディスクドライブ１の上昇により、このハードディスクドライブ１の回転シャフト４の上端のターンテーブル５でディスクトレイ２のディスク８をチャッキングして回転シャフト４の回転でディスク８を回転させるように構成している。
【００２３】
また、ハードディスクドライブ１の下面と筐体１１の底面間に複数のスプリング１９が配設され、ハードディスクドライブ１をこれらのスプリング１９で支えるとともに、ハードディスクドライブ１を上向きに付勢している。尚、ディスクトレイ２は図示しないが、筐体１１の上部に取り付けられて保持されている。
【００２４】
従って、この第２実施形態によれば、モータ１８の回転軸１８ａの回転で雌ねじ部１８ｂと下向きのロッド１７の雄ねじ部の螺退でハードディスクドライブ１が上昇し、これによって、このハードディスクドライブ１の回転シャフト４の上端のターンテーブル５でディスクトレイ２のディスク８をチャッキングして回転シャフト４の回転でこのディスク８が回転されるので、構造が簡単で且つハードディスクドライブ１を正確に上下移動することができる。
【００２５】
また、ハードディスクドライブ１を複数のスプリング１９で支えているので、ハードディスクドライブ１を水平向きのまま安定して上下移動することができる。また、複数のスプリング１９でハードディスクドライブ１を上向きに付勢しているので、ハードディスクドライブ１をスムーズに上昇させることができる。
【図面の簡単な説明】
【００２６】
【図１】本発明の記録媒体駆動装置の第１実施形態を示し、ハードディスクドライブが下方の位置にある状態の概略縦断面図である。
【図２】同装置におけるハードディスクドライブが上昇して回転シャフトの上端のターンテーブルでディスクトレイのディスクをチャッキングした状態の概略縦断面図である。
【図３】同装置の上下移動手段を示し、（ａ）はその要部の正面図、（ｂ）はその上下移動手段の構造を示す部分側面図である。
【図４】同装置の斜視図である。
【図５】第２実施形態の記録媒体駆動装置を示す斜視図である。
【図６】従来の情報記録再生装置の概略構成図である。
【符号の説明】
【００２７】
１      ハードディスクドライブ
２      ディスクトレイ
２ａ    開口
３      モータ
４      回転シャフト
５      ターンテーブル
６      リブ
７      ガイド板
７ａ    ガイド溝
７ｂ    移動用溝
７ｃ    水平板部
７ｄ    ラック
８      ディスク
９      記録ディスク
１０    磁気ヘッド
１１    筐体
１２    移動支持用基台
１２ａ  Ｔ字状突出部
１３    基台
１４    モータ
１４ａ  回転軸
１５    ピニオンギヤ
１６    上下移動手段
１７    ロッド
１８    モータ
１８ａ  回転軸
１８ｂ  雄ねじ部
１９    スプリング
２０    支持板
【図１】
2006134455.tif 000003
【図２】
2006134455.tif 000004
【図３】
2006134455.tif 000005
【図４】
2006134455.tif 000006
【図５】
2006134455.tif 000007
【図６】
2006134455.tif 000008